(57)【要約】【課題】左目用画像と右目用画像とを切り換えて表示する複数台の表示装置を並列に運転させた状態で、１つの３視認用メガネで対応する左目用画像と右目用画像を確実に視認させるようにする。【解決手段】２台のプロジェクタ装置のうち、一方を表示対象となる画像に切換表示用同期信号を重畳して表示する主側装置10Ｍ、他方を重畳表示しない従側装置10Ｓと設定し、主側装置10Ｍは、表示対象となる画像に切換表示用同期信号を重畳させてマイクロミラー素子14で表示させる一方、従側装置10Ｓは、画像への切換表示用同期信号の重畳を抑制するＣＰＵ28を備える。【選択図】図４
2014077985.tif 000002
【特許請求の範囲】
【請求項１】
左目用画像と右目用画像とを切り換えて表示する切換表示機能を有する表示装置であって、
表示対象となる画像に切換表示用同期信号を重畳して表示する主側装置及び表示しない従側装置のいずれかを設定する主従設定手段と、
上記主従設定手段により主側装置と設定された場合、表示対象となる画像に切換表示用同期信号を重畳する同期信号重畳手段と、
上記同期信号重畳手段で切換表示用同期信号を重畳した画像を表示する表示手段と
を具備したことを特徴とする表示装置。
【請求項２】
上記主従設定手段により従側装置と設定された場合、表示対象となる画像への切換表示用同期信号の重畳を抑制する重畳抑制手段をさらに具備したことを特徴とする請求項１記載の表示装置。
【請求項３】
上記主側装置が表示する画像に重畳された切換表示用同期信号を取得する取得手段と、
上記主従設定手段により従側装置と設定された場合、上記取得手段で取得した上記切換表示用同期信号に基づいて、上記表示手段で表示する画像の切換表示のための時間制御を上記主側装置が切換表示のために行なう制御に同期させる同期制御手段と
をさらに具備したことを特徴とする請求項２記載の表示装置。
【請求項４】
上記主従設定手段により従側装置と設定された場合、表示対象となる画像への切換表示用同期信号の重畳に代えて、位相が異なるダミー信号を重畳するダミー信号重畳手段をさらに具備したことを特徴とする請求項３記載の表示装置。
【請求項５】
上記ダミー信号重畳手段は、上記切換表示用同期信号と輝度エネルギーが略等しいダミー信号を重畳することを特徴とする請求項４記載の表示装置。
【請求項６】
上記ダミー信号重畳手段は、当該表示装置による表示を隣接して表示するマルチ画面表示の場合に、上記ダミー信号を重畳することを特徴とする請求項４または５記載の表示装置。
【請求項７】
上記表示手段で表示した画像から光像を形成して出射する投影手段をさらに具備したことを特徴とする請求項３乃至６いずれか記載の投影装置。
【請求項８】
上記取得手段は、投影される画像の照度から、上記重畳されている切換表示用同期信号を取得し、
上記同期制御手段は、上記取得手段で取得した切換表示用同期信号に基づいて、上記表示手段で表示する画像の切換表示のための時間制御を上記主側装置が切換表示のために行なう制御画像に同期させる
ことを特徴とする請求項７記載の投影装置。
【請求項９】
上記取得手段は、上記切換表示される画像を鑑賞するための表示補助装置に用いられるセンサ及び処理回路と同等であることを特徴とする請求項８記載の投影装置。
【請求項１０】
上記取得手段は、当該投影装置の本体に外付けされることを特徴とする請求項７乃至９いずれか記載の投影装置。
【請求項１１】
上記主側装置が表示する画像に重畳された切換表示用同期信号を受光する受光手段と、
上記主従設定手段により主側装置と設定された場合、上記受光手段を休止させる休止制御手段と
をさらに具備したことを特徴とする請求項７記載の投影装置。
【請求項１２】
上記主側装置が表示する画像に重畳された切換表示用同期信号を受光する受光手段と、
上記主従設定手段により主側装置と設定された場合、上記受光手段で得られる受光情報を無効化する無効化手段と
をさらに具備したことを特徴とする請求項７記載の投影装置。
【請求項１３】
左目用画像と右目用画像とを切り換えて表示する切換表示機能を有する表示装置と協働する表示補助装置であって、
表示対象からの表示光を受光する受光手段と、
上記受光手段で受光された表示光に切換表示用同期信号が含まれるか否かを判別する判別手段と、
上記判別手段により上記切換表示用同期信号が含まれると判別された場合、上記切換表示用同期信号に基づいて、切換表示される画像の切換シャッタ動作を実行する切換制御手段と
を具備したことを特徴とする表示補助装置。
【請求項１４】
上記切換制御手段は、上記表示装置が複数台で表示対象となる画像を表示する際に、上記切換表示用同期信号の受信タイミングで画像を遮蔽するようシャッタ動作することを特徴とする請求項１３記載の表示補助装置。
【請求項１５】
上記判別手段で上記受光した表示用制御信号が切換表示用同期信号ではないと判別された期間に対応する期間に、上記受光手段を休止させる休止制御手段をさらに具備したことを特徴とする請求項１３または１４記載の表示補助装置。
【請求項１６】
上記判別手段で上記受光した表示用制御信号が切換表示用同期信号ではないと判別された場合、上記表示用制御信号を無効化する無効化手段をさらに具備したことを特徴とする請求項１３乃至１５いずれか記載の表示補助装置。
【請求項１７】
上記判別手段は、上記受信手段で続けて受光された表示用制御信号の間隔に基づいて、上記受光された表示用制御信号が切換表示用同期信号であるか否かを判別することを特徴とする請求項１３乃至１６いずれか記載の表示補助装置。
【請求項１８】
上記判別手段は、上記受信手段で受光された表示用制御信号の波形に基づいて、上記受光された表示用制御信号が切換表示用同期信号であるか否かを判別することを特徴とする請求項１３乃至１６いずれか記載の表示補助装置。
【請求項１９】
左目用画像と右目用画像とを切り換えて表示する切換表示機能を有する表示装置、及びこの装置と協働する表示補助装置を含むシステムであって、
上記表示装置は、
表示対象となる画像に切換表示用同期信号を重畳して表示する主側装置及び表示しない従側装置のいずれかを設定する主従設定手段と、
上記主従設定手段により主側装置と設定された場合、表示対象となる画像に切換表示用同期信号を重畳する同期信号重畳手段と、
上記同期信号重畳手段で切換表示用同期信号を重畳した画像を表示する表示手段と
を具備し、
上記表示補助装置は、
表示対象の画像に重畳された表示用制御信号を受光する受光手段と、
上記受光手段で受光された表示用制御信号が切換表示用同期信号であるか否かを判別する判別手段と、
上記判別手段で判別された上記切換表示用同期信号に基づいて、切換表示される画像の切換シャッタ動作を実行する切換制御手段と
を具備する
ことを特徴とするシステム。
【発明の詳細な説明】
【技術分野】
【０００１】
本発明は、特にＤＬＰ（登録商標）方式のプロジェクタ等に好適な表示装置、投影装置、表示補助装置及びシステムに関する。
【背景技術】
【０００２】
ＤＬＰ（Ｄｉｇｉｔａｌ  Ｌｉｇｈｔ  Ｐｒｏｃｅｓｓｉｎｇ）（登録商標）方式のプロジェクタにおいて、３Ｄ（立体）画像を同期パルスとともに投影し、視認させるようにする技術が知られている。（例えば、特許文献１）
【先行技術文献】
【特許文献】
【０００３】
【特許文献１】特開２０１１−０７０１９３号公報
【発明の概要】
【発明が解決しようとする課題】
【０００４】
左目用画像と右目用画像とを切り換え表示する３Ｄ表示機能を備える投影装置を複数台並列に運転させて、投影されるマルチ画面を１つの３Ｄメガネで鑑賞しようとする場合を考える。この場合、それぞれの投影装置は互いに非同期であり、各装置それぞれが３Ｄメガネの左目用レンズと右目用レンズの各シャッタ動作を制御するための制御信号を発信する。したがって、１つの３Ｄメガネでは、正常に３Ｄ画像を視認することができない。
【０００５】
本発明は上記のような実情に鑑みてなされたもので、その目的とするところは、左目用画像と右目用画像とを切り換えて表示する複数台の表示装置を並列に運転させた状態で、１つの視認用メガネ（表示補助装置）でも対応する左目用画像と右目用画像を確実に視認することが可能な表示装置、投影装置、表示補助装置及びシステムを提供することにある。
【課題を解決するための手段】
【０００６】
本発明の一態様は、左目用画像と右目用画像とを切り換えて表示する切換表示機能を有する表示装置であって、表示対象となる画像に切換表示用同期信号を重畳して表示する主側装置及び表示しない従側装置のいずれかを設定する主従設定手段と、上記主従設定手段により主側装置と設定された場合、表示対象となる画像に切換表示用同期信号を重畳する同期信号重畳手段と、上記同期信号重畳手段で切換表示用同期信号を重畳した画像を表示する表示手段とを具備したことを特徴とする。
【発明の効果】
【０００７】
本発明によれば、左目用画像と右目用画像を切り換えて表示する複数台の表示装置を並列に運転させた状態で、１つの視認用メガネ（表示補助装置）で対応する左目用画像と右目用画像を正常に視認することが可能となる。
【図面の簡単な説明】
【０００８】
【図１】本発明の一実施形態に係るプロジェクタシステムの投影環境を例示する図。
【図２】同実施形態に係る３Ｄ液晶メガネの外観構成を示す斜視図。
【図３】同実施形態に係るプロジェクタシステムの投影環境を複数示す図。
【図４】同実施形態に係るプロジェクタ装置の機能回路の概略構成を示すブロック図。
【図５】同実施形態に係る３Ｄ液晶メガネＧＬの機能回路の概略構成を示すブロック図。
【図６】同実施形態に係る３Ｄ画像投影時の光源駆動のタイミングチャート。
【図７】同実施形態に係る３Ｄ画像投影時の他の光源駆動のタイミングチャート。
【図８】同実施形態に係る３Ｄ画像投影時の他の光源駆動のタイミングチャート。
【図９】同実施形態に係る３Ｄ画像投影時の他の光源駆動のタイミングチャート。
【図１０】同実施形態に係る３Ｄ画像投影時の他の光源駆動のタイミングチャート。
【図１１】本発明の他の実施形態に係る表示装置の構成例を示す図。
【発明を実施するための形態】
【０００９】
以下本発明をＤＬＰ（登録商標）方式のプロジェクタ装置に適用した場合の一実施形態について図面を参照して説明する。
【００１０】
図１は、同実施形態に係るプロジェクタ装置１０Ｍとプロジェクタ装置１０Ｓを含む投影システムの環境を示す図である。同図で示すように、２台のプロジェクタ装置１０Ｍ，１０Ｓを重ねて設置し、各プロジェクタ装置１０Ｍ，１０ＳからそれぞれスクリーンＳＣに対して重ねて投影される画像を、３Ｄ液晶メガネＧＬを装着したユーザＵＳが鑑賞する。
【００１１】
ここでは、例えば上側に位置するプロジェクタ装置１０Ｍをマスタ機、下側に位置するプロジェクタ装置１０Ｓをスレーブ機として、例えば、図示しない手動スイッチ、リモコン等で設定を済ませているものとする。
【００１２】
図２は、上記３Ｄ液晶メガネＧＬの外観構成を示す斜視図である。３Ｄ液晶メガネＧＬは、ユーザＵＳが眼鏡使用者であっても重ねて装着して使用可能なオーバグラスとなっており、中央のブリッジ部分前面側に受光センサＬＳ１が配設される。この受光センサＬＳ１は、スクリーンＳＣに向けられた場合にスクリーンＳＣ面上の照度の変化を検出する。この受光センサＬＳ１で受光する、投影画像中に重畳されている同期信号に同期して、左側と右側の透過型モノクロ液晶パネルで構成されるレンズを交互に遮蔽／透過することで、ユーザＵＳが立体画像を鑑賞することが可能となる。
【００１３】
図３は、本実施形態に係るプロジェクタシステムの投影のさせ方を複数示す図である。  
図３（Ａ）では、上記図１でも示した如く、２台のプロジェクタ装置１０Ｍとプロジェクタ装置１０Ｓとを重ねて設置し、両プロジェクタ装置１０Ｍ，１０Ｓの投影する画像がスクリーンＳＣ上で重なるようにした投影のさせ方を示す。
【００１４】
図では示さないが、プロジェクタ装置１０Ｍ及びプロジェクタ装置１０Ｓ共に、それぞれの脚長を含めて投影画像の光軸の仰俯角を個別に調整し、投影範囲を一致させる。
【００１５】
図３（Ｂ）は、２台のプロジェクタ装置１０Ｍとプロジェクタ装置１０Ｓとを横方向に離して設置し、両プロジェクタ装置１０Ｍ，１０Ｓの投影する画像が２つの隣接したスクリーンＳＣ１，ＳＣ２で並んで配置するようにしたマルチ画面での投影のさせ方を示す。
【００１６】
図では示さないが、プロジェクタ装置１０Ｍ及びプロジェクタ装置１０Ｓ共に、それぞれの脚長を含めて投影画像の光軸の仰俯角を個別に調整し、両投影画面の境となる位置（プロジェクタ装置１０Ｍの投影画像の右辺とプロジェクタ装置１０Ｓの投影画像の左辺との境）、及び両画像の天地方向の位置を一致させることで、マルチ画面によるワイドな画像投影が実現できる。
【００１７】
次いで図４により上記プロジェクタ装置１０Ｍ及びプロジェクタ装置１０Ｓ内の機能回路の概略構成について説明する。  
入力部１１は、例えばピンジャック（ＲＣＡ）タイプのビデオ入力端子、Ｄ−ｓｕｂ１５タイプのＲＧＢ入力端子などにより構成される。入力部１１に入力された各種規格のアナログ画像信号は、入力部１１で必要によりデジタル化された後に、システムバスＳＢを介して画像変換部１２に送られる。
【００１８】
画像変換部１２は、スケーラとも称され、入力される画像データを投影に適した所定のフォーマットの画像データに統一して投影処理部１３へ送る。
【００１９】
投影処理部１３は、送られてきた画像データに応じて、所定のフォーマットに従ったフレームレート、例えば１２０［フレーム／秒］と色成分の分割数、及び表示階調数を乗算した、より高速な時分割駆動により、空間的光変調素子であるマイクロミラー素子１４を表示するべく駆動する。
【００２０】
このマイクロミラー素子１４は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成する。
【００２１】
一方で、光源部１５から時分割でＲ，Ｇ，Ｂの原色光が循環的に出射される。この光源部１５からの原色光が、ミラー１６で全反射して上記マイクロミラー素子１４に照射される。
【００２２】
そして、マイクロミラー素子１４での反射光で光像が形成され、形成された光像が投影レンズユニット１７を介して、投影対象となる図示しないスクリーンに投影表示される。
【００２３】
光源部１５は、青色のレーザ光を発するＬＤ（レーザダイオード）１８を有する。  
ＬＤ１８が発する青色のレーザ光は、ダイクロイックミラー１９を透過した後に蛍光ホイール２０の周面に照射される。この蛍光ホイール２０は、ホイールモータ（Ｍ）２１により回転されるもので、上記青色のレーザ光が照射される周面全周に渡って蛍光体層２０ｇを形成している。蛍光ホイール２０の蛍光体層２０ｇが形成されている面の裏面には図示しない反射板が蛍光体層２０ｇと重なるように設けられている。また、蛍光ホイール２０の周面の一端部には、この蛍光ホイール２０の回転同期をとるための基準回転位置を示すホイールマーカ（図示せず）が設けられる。
【００２４】
上記投影処理部１３は、マーカセンサ２２は、蛍光ホイール２０が正常に回転しているかの回転状態を検出する。
【００２５】
蛍光ホイール２０の蛍光体層２０ｇに青色のレーザ光が照射されることで、緑色光が反射光として励起する。この緑色光は、上記ダイクロイックミラー１９で反射され、ダイクロイックミラー２３を透過して上記ミラー１６に至る。
【００２６】
さらに光源部１５は、赤色光を発するＬＥＤ（発光ダイオード）２４、及び青色光を発するＬＥＤ２５を有する。  
ＬＥＤ２４が発する赤色光は、ダイクロイックミラー２６で反射され、さらに上記ダイクロイックミラー２３でも反射された後に、上記ミラー１６に至る。
【００２７】
ＬＥＤ２５が発する青色光は、ミラー２７で全反射され、上記ダイクロイックミラー２６を透過した後に、上記ダイクロイックミラー２３で反射され、上記ミラー１６に至る。
【００２８】
以上の如く、ダイクロイックミラー１９は、青色光を透過する一方で、緑色光を反射する。ダイクロイックミラー２３は、緑色光を透過する一方で、赤色光及び青色光を反射する。ダイクロイックミラー２６は、赤色光を反射する一方で、青色光を透過する。  
投影処理部１３は、上記マイクロミラー素子１４での画像の表示による光像の形成、上記ＬＤ１８、ＬＥＤ２４，２５の各発光、上記ホイールモータ２１による蛍光ホイール２０の回転、及び上記マーカセンサ２２による蛍光ホイール２０の回転状態の検出を、後述するＣＰＵ２８の制御の下に実行する。
【００２９】
さらに、スレーブ機となるプロジェクタ装置１０Ｓ側の上記ＣＰＵ２８には、上記投影レンズユニット１７の前面に隣接して配設される受光センサＬＳ２により検出される受光信号が入力される。
【００３０】
この受光センサＬＳ２は、上述した如くスレーブ機となるプロジェクタ装置１０Ｓに必須の構成として設けられるもので、上記３Ｄ液晶メガネＧＬの受光センサＬＳ１と同等の受光特性、すなわち対象波長範囲や指向性、受光感度を有する。
【００３１】
通常の製品構成では、この受光センサＬＳ２は、マスタ機となるプロジェクタ装置１０Ｍにも、配設されることになる（配設されるようにしてもよい）が、マスタ機と設定されたプロジェクタ装置１０Ｍでは、この受光センサＬＳ２の機能を休止または無効化するようにすればよい。
【００３２】
このようにすれば、個々のプロジェクタ装置の設計を共通化できることになる。
【００３３】
また、受光センサＬＳ２を、オプションとして、スレーブ機となるプロジェクタ装置１０Ｓ側の投影レンズユニット１７の前面に配置させるようにしてもよい。
【００３４】
投影レンズユニット１７の投影光軸と平行な受光軸となるように設置され、且つ３Ｄ液晶メガネＧＬの受光センサＬＳ１と同様に広い指向性を有して、投影レンズユニット１７が投影する画像の方向を中心とした広い範囲での照度検出を行なう。
【００３５】
上記各回路の動作すべてをＣＰＵ２８が制御する。このＣＰＵ２８は、メインメモリ２９及びプログラムメモリ３０と直接接続される。メインメモリ２９は、例えばＳＲＡＭで構成され、ＣＰＵ２８のワークメモリとして機能する。プログラムメモリ３０は、電気的に書換可能な不揮発性メモリで構成され、ＣＰＵ２８が実行する動作プログラムや各種定型データ等を記憶する。ＣＰＵ２８は、上記メインメモリ２９及びプログラムメモリ３０を用いて、このプロジェクタ装置１０Ｍ，１０Ｓ内の制御動作を実行する。
【００３６】
上記ＣＰＵ２８は、操作部３１からのキー操作信号に応じて各種投影動作を実行する。  
この操作部３１は、プロジェクタ装置１０Ｍ，１０Ｓの本体に設けられるキー操作部と、このプロジェクタ装置１０Ｍ，１０Ｓ専用の図示しないリモートコントローラからの赤外光を受光するレーザ受光部とを含み、ユーザが本体のキー操作部またはリモートコントローラで操作したキーに基づくキー操作信号をＣＰＵ２８へ直接出力する。
【００３７】
上記ＣＰＵ２８はさらに、上記システムバスＳＢを介して音声処理部３２に接続される。  
音声処理部３２は、ＰＣＭ音源等の音源回路を備え、投影動作時に与えられる音声データをアナログ化し、スピーカ部３３を駆動して拡声放音させ、あるいは必要によりビープ音等を発生させる。
【００３８】
次に図５により上記３Ｄ液晶メガネＧＬの機能構成を説明する。  
上記受光センサＬＳ１で検出するスクリーンＳＣの照度は、デジタル化された後に、システムバスＳＢ２を介してＣＰＵ５１に送られる。
【００３９】
ＣＰＵ５１は、この３Ｄ液晶メガネＧＬ全体に係る制御動作を司るもので、メインメモリ５２及びプログラムメモリ５３が直接接続される。メインメモリ５２は、ＣＰＵ５１のワークメモリとして機能する。プログラムメモリ５３は、ＣＰＵ５１が実行する動作プログラムや各種定型データを記憶する。ＣＰＵ５１は、上記メインメモリ５２及びプログラムメモリ５３を用いて、この３Ｄ液晶メガネＧＬ内の制御動作を実行する。
【００４０】
このＣＰＵ５１に対してさらに、キー操作部５４からキー操作信号が直接入力される。キー操作部５４は、この３Ｄ液晶メガネＧＬの電源をオン／オフする電源キーを含む。
【００４１】
さらにＣＰＵ５１は、システムバスＳＢ２を介して液晶駆動部５５と接続される。  
液晶駆動部５５は、ＣＰＵ５１の制御の下に、上記３Ｄ液晶メガネＧＬの左目用レンズを構成する左目用液晶シャッタ５６、及び同右目用レンズを構成する右目用液晶シャッタ５７を交互に透過／遮断するべく駆動する。
【００４２】
次に上記実施形態の動作について説明する。  
なお、繰返しになるがプロジェクタ装置１０Ｍとプロジェクタ装置１０Ｓのいずれにおいても、以下に示す動作は全て、ＣＰＵ２８がプログラムメモリ３０から読出した動作プログラムや固定データ等をメインメモリ２９に展開して記憶させた上で実行する。
【００４３】
また説明を簡易化するため、左目用及び右目用のカラー画像各１フレームを同期用のフィールドと、Ｂ（青），Ｒ（赤），Ｇ（緑）の３フィールド、計４フィールドで構成し、且つ各フィールドは共に左目用及び右目用のカラー画像フレーム（Ｌ／Ｒ用フレーム）の１／４に相当する時間が設定されているものとする。
【００４４】
さらに本動作を実行するにあたっては、上述したように、図示しない手動スイッチ、リモコン等の設定で、マスタ機としてのプロジェクタ装置１０Ｍと、スレーブ機としてのプロジェクタ装置１０Ｓの設定を終えているものとする。
【００４５】
図６は、３Ｄ画像１フレームを構成する２フレーム、すなわち右目用（Ｒ）画像１フレーム及び左目用（Ｌ）画像１フレームでのプロジェクタ装置１０Ｍとプロジェクタ装置１０Ｓの各光源部１５での発光タイミングと、上記３Ｄ液晶メガネＧＬでの動作とを示す。
【００４６】
図６（Ａ）は、上記プロジェクタ装置１０Ｍが投影する画像に対応して動作する３Ｄ液晶メガネＧＬでのシャッタ切換動作を示す。
【００４７】
図６（Ｂ）は、マスタ機であるプロジェクタ装置１０Ｍの動作を示す。  
図６（Ｃ）は、スレーブ機であるプロジェクタ装置１０Ｓの動作を示す。  
図６（Ｂ−１）〜（Ｂ−４）に示すように、プロジェクタ装置１０Ｍが投影する右目用（Ｒ）画像フレームでは、同期フィールドの当初で、光源となる半導体発光素子であるＬＤ１８、ＬＥＤ２４、及びＬＥＤ２５がいずれも消灯し、時間ｄ１だけ経過したタイミングから規定のパルス幅分、例えばＬ／Ｒフレームの１／１８０に相当する時間だけ同期信号ＳＰとして上記ＬＤ１８、ＬＥＤ２４、及びＬＥＤ２５を投影処理部１３により同時に点灯させる。
【００４８】
したがって、Ｇ，Ｒ，Ｂの混色による白色光がマイクロミラー素子１４に照射され、この間にマイクロミラー素子１４では全面反射により照射された光をすべて投影レンズユニット１７方向への反射光とする。そのためスクリーンＳＣでは、全面が白色となる高い輝度の画像が、ユーザＵＳに知覚されないごく短時間だけ投影される。
【００４９】
その後、再びこの同期用のフィールドが終了するまでの時間ｅ１の間、ＬＤ１８、ＬＥＤ２４、及びＬＥＤ２５をいずれも消灯させる。この消灯期間が、図６（Ａ）に示すように３Ｄ液晶メガネＧＬ側においては次に右目側のレンズの液晶シャッタを開（オン）として右目用画像を見せるための応答時間となる。
【００５０】
次のＢフィールドでは、Ｌ／Ｒ用フレームの１／４に相当する期間、ＬＥＤ２５のみが点灯駆動される。ＬＥＤ２５の発する青色光によりマイクロミラー素子１４で右目用の青色の光像を形成し、投影レンズユニット１７によりスクリーンＳＣに対して投影する。
【００５１】
次のＲフィールドでは、Ｌ／Ｒ用フレームの１／４に相当する期間、ＬＥＤ２４のみが点灯駆動される。ＬＥＤ２４の発する赤色光によりマイクロミラー素子１４で右目用の赤色の光像を形成し、投影レンズユニット１７によりスクリーンＳＣに対して投影する。
【００５２】
次のＧフィールドでは、Ｌ／Ｒ用フレームの１／４に相当する期間、ＬＤ１８のみが点灯駆動される。ＬＤ１８の発する青色光を蛍光ホイール２０の蛍光体層２０ｇに照射して得られる緑色光によりマイクロミラー素子１４で右目用の緑色の光像を形成し、投影レンズユニット１７によりスクリーンＳＣに対して投影する。
【００５３】
その後の左目用（Ｌ）画像フレームでは、同期フィールドの当初に光源となる半導体発光素子であるＬＤ１８、ＬＥＤ２４、及びＬＥＤ２５がいずれも消灯し、時間ｄ２だけ経過したタイミングから規定のパルス幅分、例えばＬ／Ｒ用フレームの１／１８０に相当する時間だけ同期信号ＳＰとして上記ＬＤ１８、ＬＥＤ２４、及びＬＥＤ２５を投影処理部１３により同時に点灯させる。
【００５４】
したがって、Ｇ，Ｒ，Ｂの混色による白色光がマイクロミラー素子１４に照射され、この間にマイクロミラー素子１４では全面反射により照射された光をすべて投影レンズユニット１７方向への反射光とする。そのため、スクリーンＳＣでは全面が白色となる高い輝度の画像が、ユーザＵＳに知覚されないごく短時間だけ投影される。
【００５５】
その後、再びこの同期用のフィールドが終了するまでの時間ｅ２の間、ＬＤ１８、ＬＥＤ２４、及びＬＥＤ２５をいずれも消灯させる。この消灯期間が、図６（Ａ）に示すように３Ｄ液晶メガネＧＬ側においては次に左目側のレンズの液晶シャッタを開（ｏｎ）として左目用画像を見せるための応答時間となる。
【００５６】
続くＢフィールドでは、Ｌ／Ｒフレームの１／４に相当する期間、ＬＥＤ２５のみが点灯駆動される。ＬＥＤ２５の発する青色光によりマイクロミラー素子１４で左目用の青色の光像を形成し、投影レンズユニット１７によりスクリーンＳＣに対して投影する。
【００５７】
次のＲフィールドでは、Ｌ／Ｒ用フレームの１／４に相当する期間、ＬＥＤ２４のみが点灯駆動される。ＬＥＤ２４の発する赤色光によりマイクロミラー素子１４で左目用の赤色の光像を形成し、投影レンズユニット１７によりスクリーンＳＣに対して投影する。
【００５８】
続くＧフィールドでは、Ｌ／Ｒ用フレームの１／４に相当する期間、ＬＤ１８のみが点灯駆動される。ＬＤ１８の発する青色光を蛍光ホイール２０の蛍光体層２０ｇに照射して得られる緑色光によりマイクロミラー素子１４で左目用の緑色の光像を形成し、投影レンズユニット１７によりスクリーンＳＣに対して投影する。
【００５９】
フレーム当初の上記遅延時間ｄ２は、上記右目用（Ｒ）画像フレームで用いた同遅延時間ｄ１よりも大きな値が設定される。そのため、その遅延時間の差Δｄ（＝ｄ２−ｄ１）により、上記右目用（Ｒ）画像フレームで同期信号ＳＰのパルスが発光してから左目用（Ｌ）画像フレームで同期信号ＳＰのパルスが発光するまでの周期Ｔ１と、左目用（Ｌ）画像フレームで同期信号ＳＰのパルスが発光してから次の３Ｄ画像１フレームに属する右目用（Ｒ）画像フレームで同期信号ＳＰのパルスが発光するまでの周期Ｔ２とでは、周期Ｔ１の方が周期Ｔ２に比して２Δｄ分長くなる。
【００６０】
図６（Ｂ−５）は、上記３Ｄ液晶メガネＧＬが、マスタ機であるプロジェクタ装置１０Ｍの投影する画像により受光センサＬＳ１に入射される光の強度を例示する。Ｂ，Ｒ，Ｇの各フィールドにおいては、それぞれ単色の半導体発光素子が発光して形成された光像に対する入射光量となっているため、その色成分の輝度の違いによりＢ＜Ｒ＜Ｇの順で入射光量が高くなる。
【００６１】
これに比して各フレーム当初の同期フィールドの同期信号ＳＰに対しては、３色同時の発光による混色に対する光量となる。そのため、予め設定した、上記Ｇフィールドに比してさらに大きなしきい値との比較により、同期パルスのみを識別することが容易であり、且つそれら同期パルス間の周期Ｔを順次計測、比較することで、当該同期信号ＳＰに続いて投影されるのが右目用の画像であるのか、左目用の画像であるのかを容易に判断できる。
【００６２】
このような動作により、３Ｄ液晶メガネＧＬは、同期信号ＳＰの検出によりそれまでのオン（透過）／オフ（遮蔽）動作を停止し、続くＲフィールドが開始されるまでの間を応答期間として、上記オン（透過）／オフ（遮蔽）動作を反転設定する、という動作を繰返し実行する。
【００６３】
これに対してスレーブ機であるプロジェクタ装置１０Ｓ側で実行される動作について図６（Ｃ）を用いて述べる。  
上述した如くプロジェクタ装置１０Ｓは、３Ｄ液晶メガネＧＬの受光センサＬＳ１と同等の受光センサＬＳ２を備えており、上記３Ｄ液晶メガネＧＬと同様にマスタ機のプロジェクタ装置１０Ｍで投影する画像のタイミングを把握することが可能となる。
【００６４】
つまり、例えば、ＵＳＢケーブルによる有線接続、あるいは、近距離無線通信規格であるＢｌｕｅｔｏｏｔｈ（登録商標）による通信といった製品コストのかかる通信を使うことなく、３Ｄ液晶メガネＧＬと同様の簡単な仕組みで、マスタ機とスレーブ機との同期をとることが可能になる。
【００６５】
また、スレーブ機であるプロジェクタ装置１０Ｓは、上記図３（Ａ）で示した、２つの画像を重ねて１つのスクリーンＳＣで投影する場合は、同期用のフィールドでダミー信号ＤＰ等を出す必要がない。
【００６６】
すなわち、図６（Ｃ−１）〜（Ｃ−４）に示すようにスレーブ機であるプロジェクタ装置１０Ｓでは、右目用（Ｒ）画像フレームにおいて、同期フィールドの間、ＬＤ１８、ＬＥＤ２４、及びＬＥＤ２５をいずれも消灯させる。
【００６７】
続く次のＢフィールド、Ｒフィールド、及びＧフィールドでの投影動作に関しては、プロジェクタ装置１０Ｍ側と同一のタイミングで、入力部１１から入力される画像信号に対応した画像を投影させる。
【００６８】
その後の左目用（Ｌ）画像フレームでも、同期フィールドの間、ＬＤ１８、ＬＥＤ２４、及びＬＥＤ２５をいずれも消灯させる。
【００６９】
続く次のＢフィールド、Ｒフィールド、及びＧフィールドでの投影動作に関しては、プロジェクタ装置１０Ｍ側と同一のタイミングで、入力部１１から入力される画像信号に対応した画像を投影させる。
【００７０】
図６（Ｃ−５）は、上記３Ｄ液晶メガネＧＬが、スレーブ機であるプロジェクタ装置１０Ｓの投影する画像により受光センサＬＳ１に入射される光の強度を例示する。Ｂ，Ｒ，Ｇの各フィールドにおいては、それぞれ単色の半導体発光素子が発光して形成された光像に対する入射光量となっているため、その色成分の輝度の違いによりＢ＜Ｒ＜Ｇの順で入射光量が高くなる。
【００７１】
これに比して各フレーム当初の同期フィールドでは、全く発光駆動が行なわれていないため、プロジェクタ装置１０Ｓの投影する画像により受光センサＬＳ１に入射される光量は「０（ゼロ）」となる。
【００７２】
本実施形態によれば、３Ｄ液晶メガネＧＬを装着したユーザにとっては、マスタ機であるプロジェクタ装置１０Ｓが投影する画像において同期信号ＳＰに起因する、特に暗い画像で発生する「黒浮き」と称される、暗部が多少白っぽく投影される現象が発生する可能性がある。
【００７３】
一方で、スレーブ機であるプロジェクタ装置１０Ｓが投影する画像においては、上記同期信号ＳＰに相当する投影画像と関係しない光が存在しないため、同「黒浮き」は発生しない。したがって、２つのプロジェクタ装置１０Ｍ，１０Ｓでの投影画質が偏りを生じる可能性がある。
【００７４】
なお、上記図３（Ａ）で示した、２つの画像を重ねて１つのスクリーンＳＣで投影する場合は、投影画質の偏りは知覚されない。
【００７５】
図７は、上記図６の駆動動作に代えて、２つの投影画像の画質を均一化する第１の動作例を示す。  
図７（Ａ）は、上記プロジェクタ装置１０Ｍが投影する画像に対応して動作する３Ｄ液晶メガネＧＬでのシャッタ切換動作を示す。
【００７６】
図７（Ｂ）は、マスタ機であるプロジェクタ装置１０Ｍの動作を示す。  
図７（Ｃ）は、スレーブ機であるプロジェクタ装置１０Ｓの動作を示す。  
マスタ機であるプロジェクタ装置１０Ｍ側の動作に関しては、上記図６の場合と同様であるため、説明を省略する。
【００７７】
スレーブ機であるプロジェクタ装置１０Ｓ側は、上記図３（Ｂ）で示した、２つの画像を並べて投影する場合のために、マスタ機側の画質との均一化を図る上で、次のようなダミーパルスを投影するようにする。
【００７８】
すなわち、図７（Ｃ−１）〜（Ｃ−４）に示すようにスレーブ機であるプロジェクタ装置１０Ｓでは、右目用（Ｒ）画像フレームにおいて、同期フィールドの当初で、上記プロジェクタ装置１０Ｍ側で投影する同期信号ＳＰのタイミングを外し、その後のタイミングに同期信号ＳＰと同等の輝度エネルギーを有するようなダミー信号ＤＰを投影するべく、トータルで同期信号ＳＰと同じ規定のパルス幅分、例えばＬ／Ｒフレームの１／１８０に相当する時間分だけ上記ＬＤ１８、ＬＥＤ２４、及びＬＥＤ２５を投影処理部１３により同時に点灯させる。
【００７９】
したがって、プロジェクタ装置１０Ｍからの同期信号ＳＰを外れた後のタイミングで、Ｇ，Ｒ，Ｂの混色による白色光がマイクロミラー素子１４に照射され、この間にマイクロミラー素子１４では全面反射により照射された光をすべて投影レンズユニット１７方向への反射光とする。そのためスクリーンＳＣでは、全面が白色となる高い輝度の画像が、ユーザＵＳに知覚されないごく短時間だけ投影される。
【００８０】
これにより、３Ｄ液晶メガネＧＬ側で受信する、プロジェクタ装置１０Ｓが投影する画像に占めるダミー信号ＤＰ分の白色の影響は、プロジェクタ装置１０Ｍが投影する画像に占める同期信号ＳＰ分の白色の影響と同等となる。
【００８１】
その後、この同期用のフィールドが終了するまでの間、ＬＤ１８、ＬＥＤ２４、及びＬＥＤ２５をいずれも消灯させる。
【００８２】
続く次のＢフィールド、Ｒフィールド、及びＧフィールドでの投影動作に関しては、プロジェクタ装置１０Ｍ側と同一のタイミングで、入力部１１から入力される画像信号に対応した画像を投影させる。
【００８３】
その後の左目用（Ｌ）画像フレームでも、同期フィールドの当初で、上記プロジェクタ装置１０Ｍ側で投影する同期信号ＳＰのタイミングを外し、その後のタイミングに同期信号ＳＰと同等の輝度エネルギーを有するようなダミー信号ＤＰを投影する。
【００８４】
したがって、左目用（Ｌ）画像フレームでも、プロジェクタ装置１０Ｍからの同期信号ＳＰを外れた後のタイミングで、Ｇ，Ｒ，Ｂの混色による白色光がマイクロミラー素子１４に照射され、この間にマイクロミラー素子１４では全面反射により照射された光をすべて投影レンズユニット１７方向への反射光とする。そのためスクリーンＳＣでは、全面が白色となる輝度の画像が、ユーザＵＳに知覚されないごく短時間だけ投影される。
【００８５】
これにより、左目用（Ｌ）画像フレームでも、３Ｄ液晶メガネＧＬ側で受信する、プロジェクタ装置１０Ｓが投影する画像に占めるダミー信号ＤＰ分の白色の影響は、プロジェクタ装置１０Ｍが投影する画像に占める同期信号ＳＰ分の白色の影響と同等となる。
【００８６】
その後、この同期用のフィールドが終了するまでの間、ＬＤ１８、ＬＥＤ２４、及びＬＥＤ２５をいずれも消灯させる。
【００８７】
続く次のＢフィールド、Ｒフィールド、及びＧフィールドでの投影動作に関しては、プロジェクタ装置１０Ｍ側と同一のタイミングで、入力部１１から入力される画像信号に対応した画像を投影させる。
【００８８】
図７（Ｃ−５）は、上記３Ｄ液晶メガネＧＬが、スレーブ機であるプロジェクタ装置１０Ｓの投影する画像により受光センサＬＳ１に入射される光の強度を例示する。Ｂ，Ｒ，Ｇの各フィールドにおいては、それぞれ単色の半導体発光素子が発光して形成された光像に対する入射光量となっているため、その色成分の輝度の違いによりＢ＜Ｒ＜Ｇの順で入射光量が高くなる。
【００８９】
これに比して各フレーム当初の同期フィールド中のダミー信号ＤＰに対しては、意図的に、上記プロジェクタ装置１０Ｍの発する同期信号ＳＰから後ろにずらしたタイミングで、同量の３色同時の発光による混色に対する光量となる。
【００９０】
そのため、３Ｄ液晶メガネＧＬでは、図７（Ｄ）に示すように、上記同期信号ＳＰの立下りタイミングから少なくとも次のＢフィールドが始まるまでの間、あるいはＧフィールドが終了するまでの間、受光センサＬＳ１での受光に応じた動作を無効化するようなマスク信号を生成して内部で同期に関する制御を実行すると共に、受光センサＬＳ１での受光動作を一時的に停止するようにして、同期の誤検出を防ぐようにする。
【００９１】
これにより、プロジェクタ装置１０Ｓからのダミー信号ＤＰによる同期動作への影響を排除して、左右各シャッタのオン（透過）／オフ（遮蔽）の切換動作を継続できると共に、受光センサＬＳ１での電力消費を極力低減できる。
【００９２】
また、この図７で示した動作によれば、３Ｄ液晶メガネＧＬを装着したユーザにとっては、マスタ機であるプロジェクタ装置１０Ｓが投影する画像において同期信号ＳＰに起因する、特に暗い画像で発生する「黒浮き」と称される、暗部が多少白っぽく投影される度合いと、スレーブ機であるプロジェクタ装置１０Ｓが投影する画像においてダミー信号ＤＰに起因する、同「黒浮き」の度合いとが同等となり、２つのプロジェクタ装置１０Ｍ，１０Ｓでの投影画質を均一化できる。
【００９３】
このように２つの投影画像の画質を均一化する点は、上記図３（Ｂ）で示した、２つの画像を並べて投影する場合に適用され、並べて投影される２つの画像に生じる「黒浮き」を略等しくできるために、ユーザＵＳはスクリーンＳＣ１に投影される画像とスクリーンＳＣ２に投影される画像との継ぎ目等を意識することなく、違和感のない状態で鑑賞できる。
【００９４】
図８は、上記図７の駆動動作に代えて、２つの投影画像の画質を均一化する第２の動作例を示す。すなわち図８では、図８（Ｃ）においてスレーブ機であるプロジェクタ装置１０Ｓが、マスタ機であるプロジェクタ装置１０Ｍ側で投影する単発の同期信号ＳＰとは異なり、同等の輝度エネルギーを有する、間欠的な連続した２発のダミー信号ＤＰを投影するべく、トータルで同期信号ＳＰと同じ規定のパルス幅分、例えばＬ／Ｒフレームの１／１８０((１／３６０)＊２)に相当する時間分だけ上記ＬＤ１８、ＬＥＤ２４、及びＬＥＤ２５を投影処理部１３により同時に点灯させた場合を示す。
【００９５】
このような波形のダミー信号ＤＰでも、３Ｄ液晶メガネＧＬ側で受信する、プロジェクタ装置１０Ｓが投影する画像に占めるダミー信号ＤＰ分の白色の影響は、プロジェクタ装置１０Ｍが投影する画像に占める同期信号ＳＰ分の白色の影響と同等となる。
【００９６】
図９は、上記図７、図８の駆動動作に代えて、２つの投影画像の画質を均一化する第３の動作例を示す。すなわち図９では、図９（Ｃ）においてスレーブ機であるプロジェクタ装置１０Ｓが、マスタ機であるプロジェクタ装置１０Ｍ側で投影する同期信号ＳＰとは異なるが同等の輝度エネルギーを有するダミー信号ＤＰとして、トータルで同期信号ＳＰのパルス幅の２倍分、例えばＬ／Ｒフレームの１／１８０の２倍に相当する時間１／９０だけ上記ＬＤ１８、ＬＥＤ２４、及びＬＥＤ２５を約半分の輝度で投影処理部１３により同時に点灯させる場合を示す。
【００９７】
このような波形のダミー信号ＤＰでも、３Ｄ液晶メガネＧＬ側で受信する、プロジェクタ装置１０Ｓが投影する画像に占めるダミー信号ＤＰ分の白色の影響は、プロジェクタ装置１０Ｍが投影する画像に占める同期信号ＳＰ分の白色の影響と同等となる。
【００９８】
なお、上記説明ではＬＤ１８、ＬＥＤ２４、及びＬＥＤ２５を約半分の輝度でダミー信号ＤＰを点灯させるものとして説明したが、あえてＬＤ１８、ＬＥＤ２４、及びＬＥＤ２５をフル発光させた上で、マイクロミラー素子１４で１／２階調となるように全面反射時間を半減させるか、あるいは画素の半数が均等にオフするように市松模様状にオン／オフの画素を配置するように表示駆動することによっても、投影レンズユニット１７から出射される発光輝度を半減させることができる。
【００９９】
また、上記図７〜図９はいずれも、スレーブ機であるプロジェクタ装置１０Ｓが同期フィールドで出射するダミー信号ＤＰの波形がＬ／Ｒフレームを通して同様な場合について説明したが、ＬフレームとＲフレームとで異なる波形を有する場合であっても、ダミー信号ＤＰが同期信号ＳＰと同等の輝度エネルギーを有するものであれば、実用上差し支えないものと考えられる。
【０１００】
しかしながら、応答フィールド中での３Ｄ液晶メガネＧＬの左目用液晶シャッタ５６及び右目用液晶シャッタ５７それぞれのオン／オフの切り換えの立上り時、立下り時の応答特性を勘案すると、相互のフレームでダミー信号ＤＰの透過後の輝度が相殺して均質化されるべく、ダミー信号ＤＰの波形がＬ／Ｒフレームを通して同様であることが望ましい。
【０１０１】
さらに、３Ｄ液晶メガネＧＬの左目用液晶シャッタ５６及び右目用液晶シャッタ５７として、応答速度が１［ミリ秒］以下、例えば０．２［ミリ秒］程度となる高速応答が可能な強誘電性液晶などを用いることができる場合、上記同期信号ＳＰに起因する「黒浮き」の現象を確実に排除できる。
【０１０２】
図１０は、上記図６〜図９の駆動動作に代えて、そのような液晶シャッタ５６，５７を備えた３Ｄ液晶メガネＧＬを使用できる場合の動作例を示す。
【０１０３】
図１０（Ａ）は、上記プロジェクタ装置１０Ｍが投影する画像に対応して動作する３Ｄ液晶メガネＧＬでのシャッタ切換動作を示す。
【０１０４】
図１０（Ｂ）は、マスタ機であるプロジェクタ装置１０Ｍの動作を示す。  
図１０（Ｃ）は、スレーブ機であるプロジェクタ装置１０Ｓの動作を示す。  
図１０（Ａ−１），（Ａ−２）に示すように、３Ｄ液晶メガネＧＬの右目用液晶シャッタ５７は、プロジェクタ装置１０Ｍが投影する右目用（Ｒ）画像フレーム中で実画像を投影するＢ，Ｒ，Ｇフィールドのみ若干の時間的な余裕を持ってオン（透過）し、その他の期間はオフ（遮蔽）するように駆動される。
【０１０５】
一方の左目用液晶シャッタ５６は、プロジェクタ装置１０Ｍが投影する左目用（Ｌ）画像フレーム中で実画像を投影するＢ，Ｒ，Ｇフィールドのみ若干の時間的な余裕を持ってオン（透過）し、その他の期間はオフ（遮蔽）するように駆動される。
【０１０６】
したがって、プロジェクタ装置１０Ｍが投影する同期用フィールド中の先頭側に配置された同期信号ＳＰのタイミングでは、右目用液晶シャッタ５７及び左目用液晶シャッタ５６は共にオフ（遮蔽）しており、３Ｄ液晶メガネＧＬ装着したユーザが同期信号ＳＰによる「黒浮き」を知覚することはない。
【０１０７】
そのため、スレーブ機であるプロジェクタ装置１０Ｓでは、同期用のフィールドで上記同期信号ＳＰに対応したダミー信号ＤＰを出す必要がない。
【０１０８】
このように応答時間が充分に小さくできる、高速応答可能な液晶シャッタを３Ｄ液晶メガネＧＬに使用できる場合には、「黒浮き」の発生を抑制して投影画像の質を向上できると共に、１カラー画像フレーム中で同期用のフィールドの期間をより短く設定し、その分だけ実画像を投影するＢ，Ｒ，Ｇフィールドの期間を長く設定できるため、より明るい画像の投影に寄与できる。
【０１０９】
なお、上記実施形態では、左目用画像と右目用画像を切り換えて表示する表示装置として、両画像の視差により３Ｄ表示（立体表示）を行う３Ｄ表示装置、そして、表示補助装置（視認用メガネ）としては、３Ｄメガネの例で説明したが、本発明は、それに限定されない。
【０１１０】
例えば、視差を利用しない別々の画像を時分割表示するような表示システムについても応用できることは言うまでもない。
【０１１１】
以上詳述した如く本実施形態によれば、左目用画像と右目用画像を切り換えて投影する複数台のプロジェクタ装置（表示装置）１０Ｍ，１０Ｓを並列に運転させた状態で、１つの３Ｄ液晶メガネＧＬ（視認用メガネ、表示補助装置）でも対応する左目用画像と右目用画像を確実に視認することが可能となる。
【０１１２】
この点で、特にスレーブ機となるプロジェクタ装置１０Ｓ側では、プロジェクタ装置１０Ｍの投影する同期信号ＳＰに対応する期間での投影を抑制することで、３Ｄ液晶メガネＧＬ側での干渉（誤動作）を回避できる。
【０１１３】
同じくプロジェクタ装置１０Ｓ側では、３Ｄ液晶メガネＧＬの受光センサＬＳ１と同様の受光センサＬＳ２を設けてプロジェクタ装置１０Ｍが投影する画像のタイミングを検出して同期情報を取得するようにしたので、プロジェクタ装置１０Ｓ側は、それに合わせて画像の投影タイミングを同期させることができる。
【０１１４】
また上記実施形態では、マスタ機であるプロジェクタ装置１０Ｍが同期フィールド中に投影する同期信号ＳＰの光量と、スレーブ機であるプロジェクタ装置１０Ｓが同期フィールド中に同期信号ＳＰに遅れて投影するダミー信号ＤＰの光量とを略一致させたことにより、２つの投影画像の画質を均一化できる。
【０１１５】
なお、スレーブ機であるプロジェクタ装置１０Ｓは、受光センサＬＳ２を用いてプロジェクタ装置１０Ｍとの同期を検出するものとしたので、簡易な構成による同期機構が実現可能となる。
【０１１６】
この点に関し、特に３Ｄ液晶メガネＧＬの受光センサＬＳ１と同様の受光センサＬＳ２をプロジェクタ装置１０Ｓに用いてマスタ機のプロジェクタ装置１０Ｍと同期させるものとしたので、部品の共通化を図ることができる。
【０１１７】
なお上記実施形態では、３Ｄ表示用の同期信号ＳＰの到来間隔を計時することにより同期信号ＳＰを検出可能とし、さらにその後に到来するダミー信号ＤＰと区別するものとしたので、同期信号ＳＰを容易に判別できる。
【０１１８】
また上記実施形態とは別に、同期信号ＳＰが例えば上記図８（Ｃ）で示したダミー信号ＤＰのように短時間で連続した間欠的な２発のパルスとするなど、その波形に応じて検出可能とするように設定しても良く、やはり同期信号ＳＰを容易に判別できる。
【０１１９】
なお上記実施形態は、本発明をＤＬＰ（登録商標）方式のプロジェクタシステムに適用した場合について説明したものであるが、本発明は投影を行なう装置のみならず、表示画面をユーザが直視する表示装置においても同様に適用可能である。
【０１２０】
直視タイプの表示装置の場合、図３（Ｂ）に相当する、２台の表示装置を並置して視認する場合に適用可能である。
【０１２１】
図１１は、表示装置として、例えばフィールドシーケンシャル（色順次）方式の液晶パネルディスプレイ７０に適用した場合の構成例を示す。同図で、７１は透過型のモノクロ液晶パネルである。またモノクロ液晶パネル７１の下面側に、シート状のバックライトユニット７２Ｂ，７２Ｒ，７２Ｇを積層配置する。
【０１２２】
これらバックライトユニット７２Ｂ，７２Ｒ，７２Ｇはそれぞれ、矩形の導光拡散板の４辺に、Ｂ（青色）光、またはＲ(赤色)光、またはＧ（緑色）光を発するＬＥＤ（発光ダイオード）をライン状にアレイ配置した、より正確にはサイドライト方式のユニットを構成する。
【０１２３】
モノクロ液晶パネル５１から離れた、より下層側のユニットが出射した面発光による原色光は、それより上層側のユニットを透過して、モノクロ液晶パネル７１をその下面側より照射することで、そのタイミングに合わせてモノクロ液晶パネル５１で表示される、当該原色光成分の画像により原色光に合致した光像が形成される。
【０１２４】
ここでバックライトユニット７２Ｂ，７２Ｒ，７２Ｇの発する各原色光は、例えば、Ｂ＜Ｒ＜Ｇの順で輝度（明るさ）成分が大きいものとし、より輝度成分の高い原色光ほど下層側から出射することで、途中のユニットを透過する際に減衰する光量を勘案して、モノクロ液晶パネル７１で原色の光像を形成（空間的な画像に変調）する際の色バランスをとっているものとする。
【０１２５】
モノクロ液晶パネル７１での画像の表示をＬＣＤ駆動部７３が実行する。このＬＣＤ駆動部７３はまた、モノクロ液晶パネル７１で表示する原色の画像のタイミングに合わせたタイミング信号と発光量を指示する制御信号とをバックライト駆動部７４へ出力する。
【０１２６】
バックライト駆動部７４は、ＬＣＤ駆動部７３からのタイミング信号と制御信号とに応じてバックライトユニット７２Ｂ，７２Ｒ，７２Ｇを時分割で循環的に駆動して面発光させる。
【０１２７】
例えばカラー画像の１フレームがＲ，Ｇ，Ｂの３フィールドから構成される場合、ＬＣＤ駆動部７３がモノクロ液晶パネル５１を例えば１２０［フレーム／秒］のフレームレートで駆動して各原色の画像を３６０［フィールド／秒］の速度で表示することにより、この液晶パネルディスプレイ７０のユーザがモノクロ液晶パネル７１をその上方から視認することで、違和感のないカラー画像を鑑賞できる。
【０１２８】
上述したような、表示画面であるモノクロ液晶パネル５１を直視する表示装置の一種である液晶パネルディスプレイ７０においても、ごく短時間にバックライトユニット７２Ｂ，７２Ｒ，７２Ｇを同時に発光させ、合わせてモノクロ液晶パネル７１の全画素をフル透過状態となるように階調制御して、混色としての白色光を出射させることで、３Ｄ表示用の同期信号にできる。
【０１２９】
また、このような直視型の表示装置の場合であっても、例えば、視差を利用しない別々の画像を時分割表示するような表示システムに応用できることは言うまでもない。
【０１３０】
さらに本発明は、上記図１１で構造を例示したフィールドシーケンシャル（色順次）方式の液晶パネルディスプレイに限らず、その他の光源を用いた表示装置、例えば液晶プロジェクタ、プラズマディスプレイ、ＳＥＤリアプロジェクタ方式のモニタ装置等にも同様に適用することが可能である。
【０１３１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１３２】
以下に、本願出願の当初の特許請求の範囲に記載された発明を付記する。  
請求項１記載の発明は、左目用画像と右目用画像とを切り換えて表示する切換表示機能を有する表示装置であって、表示対象となる画像に切換表示用同期信号を重畳して表示する主側装置及び表示しない従側装置のいずれかを設定する主従設定手段と、上記主従設定手段により主側装置と設定された場合、表示対象となる画像に切換表示用同期信号を重畳する同期信号重畳手段と、上記同期信号重畳手段で切換表示用同期信号を重畳した画像を表示する表示手段とを具備したことを特徴とする。
【０１３３】
請求項２記載の発明は、上記請求項１記載の発明において、上記主従設定手段により従側装置と設定された場合、表示対象となる画像への切換表示用同期信号の重畳を抑制する重畳抑制手段をさらに具備したことを特徴とする。
【０１３４】
請求項３記載の発明は、上記請求項２記載の発明において、上記主側装置が表示する画像に重畳された切換表示用同期信号を取得する取得手段と、上記主従設定手段により従側装置と設定された場合、上記取得手段で取得した上記切換表示用同期信号に基づいて、上記表示手段で表示する画像の切換表示のための時間制御を上記主側装置が切換表示のために行なう制御に同期させる同期制御手段とをさらに具備したことを特徴とする。
【０１３５】
請求項４記載の発明は、上記請求項３記載の発明において、上記主従設定手段により従側装置と設定された場合、表示対象となる画像への切換表示用同期信号の重畳に代えて、位相が異なるダミー信号を重畳するダミー信号重畳手段をさらに具備したことを特徴とする。
【０１３６】
請求項５記載の発明は、上記請求項４記載の発明において、上記ダミー信号重畳手段は、上記切換表示用同期信号と輝度エネルギーが略等しいダミー信号を重畳することを特徴とする。
【０１３７】
請求項６記載の発明は、上記請求項４または５記載の発明において、上記ダミー信号重畳手段は、当該表示装置による表示を隣接して表示するマルチ画面表示の場合に、上記ダミー信号を重畳することを特徴とする。
【０１３８】
請求項７記載の発明は、上記請求項３乃至６いずれか記載の発明において、上記表示手段で表示した画像から光像を形成して出射する投影手段をさらに具備したことを特徴とする。
【０１３９】
請求項８記載の発明は、上記請求項７記載の発明において、上記取得手段は、投影される画像の照度から、上記重畳されている切換表示用同期信号を取得し、上記同期制御手段は、上記取得手段で取得した切換表示用同期信号に基づいて、上記表示手段で表示する画像の切換表示のための時間制御を上記主側装置が切換表示のために行なう制御画像に同期させることを特徴とする。
【０１４０】
請求項９記載の発明は、上記請求項８記載の発明において、上記取得手段は、上記切換表示される画像を鑑賞するための表示補助装置に用いられるセンサ及び処理回路と同等であることを特徴とする。
【０１４１】
請求項１０記載の発明は、上記請求項７乃至９いずれか記載の発明において、上記取得手段は、当該投影装置の本体に外付けされることを特徴とする。
【０１４２】
請求項１１記載の発明は、上記請求項７記載の発明において、上記主側装置が表示する画像に重畳された切換表示用同期信号を受光する受光手段と、上記主従設定手段により主側装置と設定された場合、上記受光手段を休止させる休止制御手段とをさらに具備したことを特徴とする。
【０１４３】
請求項１２記載の発明は、上記請求項７記載の発明において、上記主側装置が表示する画像に重畳された切換表示用同期信号を受光する受光手段と、上記主従設定手段により主側装置と設定された場合、上記受光手段で得られる受光情報を無効化する無効化手段と
をさらに具備したことを特徴とする。
【０１４４】
請求項１３記載の発明は、左目用画像と右目用画像とを切り換えて表示する切換表示機能を有する表示装置と協働する表示補助装置であって、表示対象からの表示光を受光する受光手段と、上記受光手段で受光された表示光に切換表示用同期信号が含まれるか否かを判別する判別手段と、上記判別手段により上記切換表示用同期信号が含まれると判別された場合、上記切換表示用同期信号に基づいて、切換表示される画像の切換シャッタ動作を実行する切換制御手段とを具備したことを特徴とする。
【０１４５】
請求項１４記載の発明は、上記請求項１３記載の発明において、上記切換制御手段は、上記表示装置が複数台で表示対象となる画像を表示する際に、上記切換表示用同期信号の受信タイミングで画像を遮蔽するようシャッタ動作することを特徴とする。
【０１４６】
請求項１５記載の発明は、上記請求項１３または１４記載の発明において、上記判別手段で上記受光した表示用制御信号が切換表示用同期信号ではないと判別された期間に対応する期間に、上記受光手段を休止させる休止制御手段をさらに具備したことを特徴とする。
【０１４７】
請求項１６記載の発明は、上記請求項１３乃至１５いずれか記載の発明において、上記判別手段で上記受光した表示用制御信号が切換表示用同期信号ではないと判別された場合、上記表示用制御信号を無効化する無効化手段をさらに具備したことを特徴とする。
【０１４８】
請求項１７記載の発明は、上記請求項１３乃至１６いずれか記載の発明において、上記判別手段は、上記受信手段で続けて受光された表示用制御信号の間隔に基づいて、上記受光された表示用制御信号が切換表示用同期信号であるか否かを判別することを特徴とする。
【０１４９】
請求項１８記載の発明は、上記請求項１３乃至１６いずれか記載の発明において、上記判別手段は、上記受信手段で受光された表示用制御信号の波形に基づいて、上記受光された表示用制御信号が切換表示用同期信号であるか否かを判別することを特徴とする。
【０１５０】
請求項１９記載の発明は、左目用画像と右目用画像とを切り換えて表示する切換表示機能を有する表示装置、及びこの装置と協働する表示補助装置を含むシステムであって、上記表示装置は、表示対象となる画像に切換表示用同期信号を重畳して表示する主側装置及び表示しない従側装置のいずれかを設定する主従設定手段と、上記主従設定手段により主側装置と設定された場合、表示対象となる画像に切換表示用同期信号を重畳する同期信号重畳手段と、上記同期信号重畳手段で切換表示用同期信号を重畳した画像を表示する表示手段とを具備し、上記表示補助装置は、表示対象の画像に重畳された表示用制御信号を受光する受光手段と、上記受光手段で受光された表示用制御信号が切換表示用同期信号であるか否かを判別する判別手段と、上記判別手段で判別された上記切換表示用同期信号に基づいて、切換表示される画像の切換シャッタ動作を実行する切換制御手段とを具備することを特徴とする。
【符号の説明】
【０１５１】
１０Ｍ…（マスタ側）プロジェクタ装置、１０Ｓ…（スレーブ側）プロジェクタ装置、１１…入力部、１２…画像変換部（スケーラ）、１３…投影処理部、１４…マイクロミラー素子、１５…光源部、１６…ミラー、１７…投影レンズユニット、１８…（緑色光励起用青色）ＬＤ（半導体レーザ）、１９…ダイクロイックミラー、２０…蛍光ホイール、２０ｇ…蛍光体層、２１…ホイールモータ（Ｍ）、２２…マーカセンサ、２３…ダイクロイックミラー、２４…（赤色）ＬＥＤ（発光ダイオード）、２５…（青色）ＬＥＤ（発光ダイオード）、２６…ダイクロイックミラー、２７…ミラー、２８…ＣＰＵ、２９…メインメモリ、３０…プログラムメモリ、３１…操作部、３２…音声処理部、３３…スピーカ部、３４…ブルートゥース通信部、３５…ブルートゥースアンテナ、５１…ＣＰＵ、５２…メインメモリ、５３…プログラムメモリ、５４…キー操作部、５５…液晶駆動部、５６…左目用液晶シャッタ、５７…右目用液晶シャッタ、７０…液晶パネルディスプレイ、７１…モノクロ液晶パネル、７２Ｂ，７２Ｒ，７２Ｇ…バックライトユニット、７３…ＬＣＤ駆動部、７４…バックライト駆動部、ＤＰ…ダミー信号、ＧＬ…３Ｄ液晶メガネ、ＬＳ１，ＬＳ２…受光センサ、ＳＢ…システムバス、ＳＣ…スクリーン、ＳＰ…同期信号、ＵＳ…ユーザ。
【図１】
2014077985.tif 000003
【図２】
2014077985.tif 000004
【図３】
2014077985.tif 000005
【図４】
2014077985.tif 000006
【図５】
2014077985.tif 000007
【図６】
2014077985.tif 000008
【図７】
2014077985.tif 000009
【図８】
2014077985.tif 000010
【図９】
2014077985.tif 000011
【図１０】
2014077985.tif 000012
【図１１】
2014077985.tif 000013